(57)【要約】 【課題】化粧リングをシリンダー錠用ハウジングに簡単に「ワンタッチ方式」で嵌着することができること。【解決手段】ハウジングの外周壁に被係合部を形成し、該被係合部は、外周壁の周方向に所定間隔を有して凹所状に形成された複数個の係止溝であり、一方、前記化粧リングの先端部には、内部空間へ向かって延び、かつ、嵌着時、前記係止溝にそれぞれ係合可能な係合爪片を有すると共に、材質自体により変位する弾性変形乃至弾性復帰機能する複数本の係合アームを形成したことを特徴とする扉用錠前。【選択図】  図１
2006022619.tif 000002
【特許請求の範囲】
【請求項１】
扉に固定される筒状ハウジングと、このハウジングに固定的に内設されるシリンダー錠と、ハウジングに嵌着される筒状化粧リングから成る扉用錠前に於いて、前記ハウジングの外周壁に被係合部を形成し、該被係合部は、外周壁の周方向に所定間隔を有して形成された複数個の係止溝であり、一方、前記化粧リングの先端部には、内部空間へ向かって延び、かつ、嵌着時、前記係止溝にそれぞれ係合可能な係合爪片を有すると共に、材質自体により変位する弾性変形乃至弾性復帰機能する複数本の係合アームを形成したことを特徴とする扉用錠前。
【請求項２】
請求項１に於いて、係合アームは、外周壁３２の小径外端部３２ｂから該外周壁３２で形成された内部空間３４内に環状に延設形成された嵌合連設部に連設形成されていることを特徴とする扉用錠前。
【請求項３】
請求項１に於いて、化粧リング８の内端部３２ａはハウジング４に突壁状に周設された鍔部１１にフイット状態に外嵌合することを特徴とする扉用錠前。
【請求項４】
請求項１に於いて、ハウジングの先端部には、環状支持壁１６を有する環状の横向き凹所１５が形成され、該横向き凹所１５に、前記環状支持壁１６を貫通するシリンダー錠２の内筒２５の突出部分に保護部材７が密着状態に嵌合していることを特徴とする扉用錠前。
【請求項５】
請求項１に於いて、ハウジングの後端部の端部に段差状に嵌合部分が形成され、該嵌合部分には、シリンダー錠の内筒の駆動軸に固定手段を介して固定され、かつ、前記嵌合部分の垂直内周面に係止される引き抜き防止板２８が嵌合することを特徴とする扉用錠前。
【発明の詳細な説明】
【技術分野】
【０００１】
本発明は、扉用錠前に関し、特に扉の外壁面から突出したシリンダー錠の外周に、化粧リングを嵌着した扉用錠前に関する。
【背景技術】
【０００２】
特許文献１の図２、図６には、扉に固定される筒状ハウジングと、このハウジングに固定的に内設されるシリンダー錠と、前記ハウジングに嵌着される筒状化粧リングから成る扉用錠前が開示されている。
【０００３】
前記図２に記載の実施例に於いて、先端部を切除した格好の円錐状化粧リングをシリンダー錠用ハウジングに直接又は間接的に嵌着する時は、まず、シリンダー錠用固定筒に前面板と称される筒状体を嵌入する前に、該筒状体の先端部のフランジ部に当たるように１枚目のスペーサリングを外挿し、次いで２枚目のスペーサリングを外挿し、次いで必要な枚数のスペーサリングを外挿した上で、化粧リングを筒状体に外挿する。又は、前記嵌着手順は、もちろん、逆でも良く、まず、化粧リングの先端部側に調整用の複数枚のスペーサリングを嵌入し、次に、先端部にフランジ部を有する所定厚さの筒状体を、化粧リングの先端部側から貫通状態に嵌入する。このように、図２に記載の実施例は、化粧リングを簡単にシリンダー錠用ハウジングに嵌着することができない。
【０００４】
この点、前記図６に記載の実施例も同様である。この実施例は、前記スペーサリングに代え、コイルバネをハウジングの外周に外挿支持し、該コイルバネのバネ力によって化粧リングの大径内端部が扉の外壁面に当接する構造である。
【０００５】
しかし、この実施例は、断面横向き中空すい台形状の外周壁を有する化粧リングとコイルバネとが別体であることから、例えばシリンダー錠用ハウジングに該化粧リングを外挿し、次に、ハウジングの外周壁と化粧リングの内筒状連設部との間に生じる隙間にコイルバネを挿入し、次に前面板と称される筒状体を前記隙間に嵌入して該コイルバネを内筒状連設部の内端部に突壁状に周設したストッパー部分と筒状体の挿入端面で挟持する必要があることから、結局、化粧リングをシリンダー錠用ハウジングに簡単に嵌着することができないという課題があった。
【特許文献１】特許公開２００３−１２００８３号公報に記載の図２、図６の各実施例。
【発明の開示】
【発明が解決しようとする課題】
【０００６】
本発明の主たる目的は、化粧リングをシリンダー錠用ハウジングに簡単に「ワンタッチ方式」で嵌着することができることである。また、本発明の他の目的は、化粧リングを一旦嵌着すると、確実にハウジングに係止され、簡単に引き抜くことができないことである。本発明の付随的な目的は、シリンダー錠が工具により簡単に抜き取られないことである。
【課題を解決するための手段】
【０００７】
本発明の扉用錠前は、扉に固定される筒状ハウジングと、このハウジングに固定的に内設されるシリンダー錠と、ハウジングに嵌着される筒状化粧リングから成る扉用錠前に於いて、前記ハウジングの外周壁に被係合部を形成し、該被係合部は、外周壁の周方向に所定間隔を有して形成された複数個の係止溝であり、一方、前記化粧リングの先端部には、内部空間へ向かって延び、かつ、嵌着時、前記係止溝にそれぞれ係合可能な係合爪片を有すると共に、材質自体により変位する弾性変形乃至弾性復帰機能する複数本の係合アームを形成したことを特徴とする。
【０００８】
上記構成に於いて、係合アームは、外周壁３２の小径外端部３２ｂから該外周壁３２で形成された内部空間３４内に環状に延設形成された嵌合連設部に連設形成されている。また、化粧リング３１の内端部３２ａは、ハウジング４に突壁状に周設された鍔部１１にフイット状態に外嵌合する。
【０００９】
ここで、「ハウジング」とは、シリンダー錠を直接又は間接的に包む部材をいう。
【発明の効果】
【００１０】
（１）図１１は、本発明の作用・効果を示す概略説明図である。複数本の係合アーム３６は、それぞれ係合アーム３６の内壁面よりも内側に突出する係合爪片３５を有していることから、図１１で示すように、化粧リング３１の嵌着時、各係合爪片３５は、ハウジング４の水平溝２２の内壁面をスライドする。
【００１１】
したがって、係合アーム３６は、係合爪片３５のスライドを許す働き（弾性変形機能）を有する。また、係合アーム３６は、係合爪片３５が水平溝２２の内壁面を超えた場合に於いて、水平溝２２に凹所状に連設する係止溝２２に係合爪片３５を係入させ、ハウジング４の被係合部２２と係合爪片３５との係合を確保する働き（弾性復帰機能）を有する。このように化粧リング３１の係合アーム３６は、材質自体により変位する弾性変形乃至弾性復帰機能する。
【００１２】
（２）本発明の化粧リング３１は、（１）の記載したような弾性変形乃至弾性復帰機能を有することから、化粧リングをシリンダー錠用ハウジングに簡単に「ワンタッチ方式」で嵌着することができる。
【００１３】
（３）化粧リングは、一旦ハウジングに嵌着すると、複数個の係合爪片により確実にハウジングに係止され、簡単に引き抜くことができない。
【００１４】
（４）請求項４、５に記載の発明は、工具により、シリンダー錠を不正に解錠することが困難である。
【発明を実施するための最良の形態】
【００１５】
以下、図１乃至図１１に示す本発明を実施するための最良の形態により説明する。
【００１６】
（１）全体の環境
図１及び図２を参照にして扉用錠前Ｘの全体の環境を説明する。１は建具の扉で、この扉１には扉用錠前Ｘが取付けられ、該扉１は水平方向に開閉する。図１を基準にすると、１ａは扉の外壁面、１ｂは内壁面である。周知のように外壁面１ａにシリンダー錠２、一方、内壁面１ｂにサムターン３がそれぞれ取り付けられ、これらの駆動力（操作力）は、扉１の自由端部の開口部に内装された錠箱の錠構成部材（例えば、ダルマ、係止レバー、駆動カムなど）に伝達される。
【００１７】
４は扉１の外壁面１ａに固定的に取り付けられたシリンダー錠用のハウジングで、このハウジング４は外座の機能を有し、サムターン３側の内座５と複数本の固着具６を介して一体的に連結される。
【００１８】
７はシリンダー錠２の前面をカバーする保護部材で、この保護部材７は、シリンダー錠２の内筒の突出部分の一部に外嵌合する。保護部材７は超硬合金製であり、その前面がややすり鉢状に形成されている。
【００１９】
３１はハウジング４の壁面から突出する先端部側を包む化粧リングで、該化粧リング３１は、後述するように本発明の特定要件である。以下、本発明に関係がある構成部材について説明する。
【００２０】
（２）シリンダー錠用ハウジング４
図１ないし図４を参照にして筒状のハウジング４を説明する。１１は後端部寄りの部位或いは中央部に突壁状に周設され、かつ、傾斜状の外周壁面を有する鍔部である。ここでは、鍔部１１を基準にハウジングの先端部１３と後端部１４に区別する。
【００２１】
ハウジング４は、後端部１４の端面から先端部１３の端面まで互いに軸芯方向に連通する複数個の嵌合孔を有し、これらの断面形状や半径は相違する。  シリンダー錠２は、後端部１４の端面から嵌合孔に差し込まれる（挿着）が、ここでは、先端部１３側から説明する。
【００２２】
まず１５は、先端部１３の前面に環状に形成された段差状の横向き凹所で、この横向き凹所１５に前述した保護部材７が密着状態に嵌合する。１６は中央部にやや小さめの小嵌合孔１７を有する環状支持壁で、この環状支持壁１６の内壁面にシリンダー錠２の外筒の先端面が当たるように内筒２５の突出部分が小嵌合孔１７に貫通状態に嵌合する。
【００２３】
次３１は小嵌合部（小嵌合孔）１７に連通するように後端部１４の後面から環状支持壁１６の内壁面まで形成された大きめの大嵌合部で、この大嵌合部１３１は、二つの嵌合部分に区別することができる。
【００２４】
すなわち、第１嵌合部分１９は、図２で示すように後端部１４の端部に段差状に形成された環状の後ろ向き大径凹所で、この第１嵌合部分１９内には、後述する環状の係止板が嵌合する。この係止板の外周縁部は、第１嵌合部分１９の環状の垂直内周面１９ａに面接触状態で係合する。係止板は、後述するようにシリンダー錠２の後端部に一体的に取り付けられ、シリンダー錠の引き抜き防止機能を発揮する。
【００２５】
第２嵌合部分２１は、第１嵌合部分１９から環状支持壁１６まで形成された断面鍵穴形状（図３で示す形状）で、この第２嵌合部分２１には、シリンダー錠２の外筒２４が嵌着する。この第２嵌合部分２１は、本実施例のシリンダー錠２の外筒２４の外観形状に対応する。
【００２６】
したがって、第２嵌合部分２１は、断面円形状の小径孔２１ａと、この小径孔２１ａに軸方向に長手状に連通する断面凹状の嵌合溝２１ｂとから成る。小径孔２１ａには外筒２４の円筒状部分２３ａが嵌合し、一方、嵌合溝２１ｂには外筒２４の外周壁の一部に長手方向に突出する長板或いはブック状部分が嵌合する。
【００２７】
ところで、本実施例のハウジング４の先端部１３の外周壁には、図４で示すように、シリンダー錠２の軸芯方向に上下或いは左右一対の水平溝２２が形成されている。そして、前記水平溝２２の内端部には、図２乃至図４で示すように、さらに被係合部２３が段差状に形成されている。すなわち、本実施例の被係合部２３は、ハウジング４の外周壁の周方向に所定間隔を有して凹所状に形成された複数個の係止溝である。これらの係止溝２３は、後述するように、ハウジング４に嵌着した化粧リング３１を所定位置に係止する機能を有している。
【００２８】
（３）シリンダー錠２
図１、図５乃至図７を参照にしてハウジング４内に固定的に内装されるシリンダー錠２を説明する。シリンダー錠２の基本的な構成部材は、外筒２４と、この外筒２４の中心部に軸芯方向に形成された嵌合孔に所定量回動可能に挿着される内筒２５と、この内筒２５に固着手段を介して、又は該内筒を一体的に形成され、かつ、突出後端部に「テールピース」と称される駆動突片２７を有する円柱状の駆動軸２６とから成る。
【００２９】
特に図示しないが、外筒２４及び内筒２５には、それぞれ障害子（ボトムピン、ドライバーピン、スプリング）を組み込むためのピン孔がそれぞれ半径方向に形成されている。障害子は、多数の鍵違いを得るために、外筒２４および内筒２５の軸（長手）方向に所定間隔を有して複数組配設され、合鍵の挿入により、各障害子が半径方向にそれぞれ移動して、いわゆる内筒２５の外周面を基準とするシャーラインに揃うと、内筒２５を合鍵の操作により解錠方向へ回動する。なお、シリンダー錠２の内部構造は、本発明の限定要件ではないので、説明を割愛する。
【００３０】
ところで、シリンダー錠２の外筒２４は、ハウジング４の第２嵌合部分２１の小径孔２１ａに嵌着する円筒状部分２４ａと、この円筒状部分２４ａの外周壁に連設し、かつ、第２嵌合部分２１の嵌合溝２１ｂに嵌合する突起の長板状部分２４ｂとを有する（図４参照）。
【００３１】
また、シリンダー錠２の内筒２５は、外筒２４の嵌合孔に差し込むようにして外筒２４に挿着されるが、本実施例の内筒２５の先端部分は、外筒２４の先端面から突出し、一方、内筒２５の駆動軸２６の一部は、外筒２４の後端面から多少突出する。先端部分はハウジング４の環状支持壁１６の小嵌合部（小嵌合孔）１７を貫通し、貫通した部分に保護部材７が嵌着している（図１参照）。
【００３２】
（４）引き抜き防止板２３１
引き抜き防止板２３１としての一例は、環状の係止板である。シリンダー錠２の外筒２４よりも大径の係止板２８は、本実施例では、図５で示すように環状に形成された硬質のリングで、「テールリング」と称すべき該係止板２８は、前述した内筒２６の駆動軸２６の円柱状突出部分に外嵌合するように嵌着し、かつ、固定手段（止め輪、ナットなど）２９で駆動軸２６から外れないように支持されている。前記固定手段２９は、止め輪の場合を用いるケースは、突出部分に周溝を形成し、一方、ナットを用いるケースは、突出部分にオネジを形成する。
【００３３】
（５）化粧リング３１
３１はハウジング４を包む筒状化粧リングで、この化粧リング３１は、例えば薄型の筒状保護部材７をハウジング４の前面に密着するようにシリンダー錠２の内筒２５の突出部分に外嵌合した後に、係合爪片３５を有する複数本の係合アーム３６を介してハウジング４に一体的に結合（嵌着）する。もちろん、本実施例の化粧リング３１は、任意の手順でハウジング４の先端部側から「ワンタッチ方式」で嵌め込むことができる。
【００３４】
しかして、３２は、図９を基準にすると、断面横向き中空すい台形状の外周壁で、この外周壁３２は、ハウジング４の鍔部１１に外嵌合可能である。外周壁３２の大径内端部３２ａの内径寸法Ｌは、鍔部１１の外径寸法Ｌ１を考慮して設定されている。しかも、前記大径内端部３２ａの内周面と、鍔部１１の外周壁面はそれぞれ面接触可能な傾斜面であることから、化粧リング３１の大径内端部３２ａはハウジング４の鍔部１１にフイット状態に外嵌合する。
【００３５】
３３は、外周壁３２の小径外端部３２ｂから該外周壁３２で形成された内部空間３４内に環状に延設形成された嵌合連設部で、該環状嵌合連設部３３には、嵌着時、前述した係止溝２３にそれぞれ係合可能な係合爪片３５を有すると共に、材質自体により変位する弾性変形乃至弾性復帰機能する複数本（たとえば２本）の係合アーム３６が連設形成されている。
【実施例】
【００３６】
本発明の第１実施例に於いて、被係合部２３は、外周壁の周方向に所定間隔を有して凹所状形成された複数個の係止溝であるが、該係止溝２３を係止突起に変更しても、発明の本質的事項に変わりない。例えば水平溝２２の一部に山形状の係合突起２３を形成し、該係合突起２３に係合アーム３６の係合爪片３５が係合しても良い。
【産業上の利用可能性】
【００３７】
本発明は、主に建具や錠前の業界で利用される。
【図面の簡単な説明】
【００３８】
図１乃至図１１は本発明の最良の実施例を示す各説明図。
【図１】本発明の実施形態の一例を示す一部概略断面説明図。
【図２】ハウジングの概略断面説明図。
【図３】図２の３−３線断面説明図。
【図４】主要部（ハウジングと化粧リング）の斜視からの概略説明図。
【図５】要部（シリンダー錠）の概略説明図。
【図６】図５を基準とした右側面からの概略説明図。
【図７】要部（引き抜き防止板）の概略説明図。
【図８】化粧リングの正面図
【図９】図８の９−９線断面に基づく説明図。
【図１０】図８の１０−１０線断面に基づく説明図。
【図１１】本発明の作用・効果を示す説明図。
【符号の説明】
【００３９】
Ｘ…扉用錠前、1…扉、２…シリンダー錠、３…サムターン、４…ハウジング、５…内座、６…固着具、７…保護部材、１１…鍔部、１２…貫通孔、１３…先端部、１４…後端部、１５…横向き凹所、１６…環状支持壁、１７…小嵌合部、１３１…大嵌合部、１９…第１嵌合部分、２８…引き抜き防止板（係止板）、２１…第２嵌合部分、２２…水平溝、２３…被係合部（係止溝）、２４…外筒、２５…内筒、２６…駆動軸、２７…駆動突片、２９…固定手段、３１…化粧リング、３２…外周壁、３３…嵌合連設部、３４…内部空間、３５…係合爪片、３６…係合アーム。
【図１】
2006022619.tif 000003
【図２】
2006022619.tif 000004
【図３】
2006022619.tif 000005
【図４】
2006022619.tif 000006
【図５】
2006022619.tif 000007
【図６】
2006022619.tif 000008
【図７】
2006022619.tif 000009
【図８】
2006022619.tif 000010
【図９】
2006022619.tif 000011
【図１０】
2006022619.tif 000012
【図１１】
2006022619.tif 000013